(57)【要約】  【課題】仮設トイレにおいては、汚物を貯留する汚物タンクの容量が小さいため、広域避難場所など利用者の多い場所に設置すると、頻繁にくみ取らねばならず、怠ると仮設トイレがあるにもかかわらず使用が不可能な状態に陥ることが生じた。  【解決手段】便器を備えてなる便器体と、不使用時は折り畳まれており使用時に便器を外部の視野から遮断するトイレ壁組立体と、便器体及びトイレ壁組立体と対をなし少なくとも一部が埋設されて液状物を貯蔵し得る貯蔵槽とからなり、不使用時には便器体と折り畳まれたトイレ壁組立体とが貯蔵槽に重ねられて保管される。【選択図】図２
2007186921.tif 000002
【特許請求の範囲】
【請求項１】
便器を備えてなる便器体と、不使用時は折り畳まれており使用時に便器を外部の視野から遮断するトイレ壁組立体と、便器体及びトイレ壁組立体と対をなし少なくとも一部が埋設されて液状物を貯蔵し得る貯蔵槽とからなり、不使用時には便器体と折り畳まれたトイレ壁組立体とが貯蔵槽に重ねられて保管される仮設トイレ。
【請求項２】
トイレ壁組立体が、前板、左右側板及び後板と、不使用時に後板の一方の面側に重ね合わせられるように左側板と後板とを回動可能に連結する第一連結機構と、不使用時に後板の他方の面側に重ね合わせられるように右側板と後板とを回動可能に連結する第二連結機構と、不使用時に右側板に前板を重ね合わせられるように右側板と前板とを回動可能に連結する第三連結機構とからなる請求項１記載の仮設トイレ。
【請求項３】
第一、第二及び第三連結機構が、一方の板に取り付けられる第一筒部材と、第一筒部材と軸芯を一致させて他方の板に取り付けられる第二筒部材と、第一筒部材と第二筒部材とを貫通する第一連結支軸とからなる請求項２記載の仮設トイレ。
【請求項４】
後板を貯蔵槽に対して回動可能に連結する第四連結機構をさらに備える請求項２又は３記載の仮設トイレ。
【請求項５】
第四連結機構が、後板に取り付けられる後板側筒部材と、後板側筒部材と軸芯を一致させて貯蔵槽の上面に取り付けられる槽側筒部材と、後板側筒部材と槽側筒部材とを貫通する第二連結支軸とからなる請求項４記載の仮設トイレ。
【請求項６】
貯蔵槽と左右側板との下端との間に、左右側板を貯蔵槽に固定させる固定構造を設けてなる請求項２〜５のいずれかに記載の仮設トイレ。
【請求項７】
固定構造が、貯蔵槽の上面に設けられる固定板部と、その固定板部に左右側板を固定する固定具とからなる請求項６記載の仮設トイレ。
【請求項８】
貯蔵槽が、その上面に便器体を嵌め込む取付凹部を備え、その凹部が不使用時の便器体に取り付けられた便器が通り抜ける貫通孔を備えてなる請求項１〜７のいずれかに記載の仮設トイレ。
【請求項９】
不使用時に便器体及び折り畳まれたトイレ壁組立体を覆う覆い部材を備えてなり、その覆い部材が、ベンチ形状をしてなり、使用時には組み立てられたトイレ壁組立体の上に載置される請求項１〜８のいずれかに記載の仮設トイレ。
【発明の詳細な説明】
【技術分野】
【０００１】
本発明は、災害時や野外でのフリーマーケットなどの催し物開催時などに組み立てることにより使用が可能になる仮設トイレに関するものである。
【背景技術】
【０００２】
従来、建築現場などにおいては、使用期間が限定されているため、移動が可能な仮設トイレを設置することがある。このような仮設トイレは、概略的には、便器が設けられた箱形の部屋と、その下側に一体的に設けられる汚物タンクとを備える構成である。このような仮設トイレでは、通常、用便のできる最小限の設置面積の大きさとするために、部屋の大きさに対応して汚物タンクの大きさが設定されている。汚物タンク内の汚物の量が一定量に達した場合には、バキュームカーなどにより汚物タンク内の汚物を取り出すようにしている。
【０００３】
上述のような構成の仮設トイレにあっては、汚物タンクの容量により使用延べ人数や一日の使用量などがほぼ決まるものである。例えば野外コンサートのように使用対象人数が非常に多い場合は、汚物の量が一定量に達する場合が頻繁に生じ、汚物の取り出しを効果的に実施しないとトイレを使用できない状態になることがある。そこで、例えば特許文献１のもののように、汚物タンクを着脱式にして、汚物タンクを取り替えることにより、汚物の取り出しを行うことなく継続してトイレを使用できるようにしたものが知られている。
【特許文献１】特開２００５−６５８８６号公報
【発明の開示】
【発明が解決しようとする課題】
【０００４】
ところで近年、地震などの災害時において、学校の校庭や公園などの広域避難場所では上述のような仮設トイレを複数設置しても、利用者の人数が非常に多くなるために、利用開始から短時間で使用できる限界を超える場合が頻繁に起こり得る状態になる。そのような場合に、特許文献１のものにおいても、汚物タンクを取り替え、その取り替えたものを広域避難場所から処理場まで搬出しなければならない。しかしながら、このような広域避難場所では、多くの人々が避難して生活する場所を確保しているため、バキュームカーや汚物タンク搬出用のトラックなどの出入りが困難なことがある。その結果、仮設トイレがあるにもかかわらず使用が不可能な状態に陥ることが生じた。
【０００５】
そこで本発明は、このような不具合を解消することを目的としている。
【課題を解決するための手段】
【０００６】
すなわち、本発明の仮設トイレは、便器を備えてなる便器体と、不使用時は折り畳まれており使用時に便器を外部の視野から遮断するトイレ壁組立体と、便器体及びトイレ壁組立体と対をなし少なくとも一部が埋設されて液状物を貯蔵し得る貯蔵槽とからなり、不使用時には便器体と折り畳まれたトイレ壁組立体とが貯蔵槽に重ねられて保管されることを特徴とする。
【０００７】
このような構成であれば、不使用時にはトイレの形態をしていないが、貯留槽に便器体とトイレ壁組立体とが重ねられて保管されているので、必要時に組み立てればトイレの形態となる。したがって、必要に応じて迅速にトイレを構築することが可能になる。また、貯蔵槽は少なくともその一部が埋設されているので、貯蔵槽の容量を大きくすることが可能になる。それゆえ、災害時などの利用者が多い場合においても例えば、貯留槽が満杯になって使用不可能になるような事態を、可能な限り抑えることができ、貯留槽内の貯留された汚物などを取り出す回数を大幅に減らすことが可能になる。加えて、大容量の貯留槽にしておけば、不使用時にその内部に水を貯留しておけば、災害時などの飲料水などの供給を可能にするものである。
【０００８】
組立を容易にするためには、トイレ壁組立体が、トイレ壁組立体が、前板、左右側板及び後板と、不使用時に後板の一方の面側に重ね合わせられるように左側板と後板とを回動可能に連結する第一連結機構と、不使用時に後板の他方の面側に重ね合わせられるように右側板と後板とを回動可能に連結する第二連結機構と、不使用時に右側板に前板を重ね合わせられるように右側板と前板とを回動可能に連結する第三連結機構とからなるものが好ましい。このような構成であれば、短時間の内にトイレを使用できる状態にすることができ、他所から搬入するものに比べて迅速な対応が可能になる。
【０００９】
構造を簡素化するためには、第一、第二及び第三連結機構が、一方の板に取り付けられる第一筒部材と、第一筒部材と軸芯を一致させて他方の板に取り付けられる第二筒部材と、第一筒部材と第二筒部材とを貫通する第一連結支軸とからなるものが好ましい。このような構成であれば、個別に製作されたそれぞれの対になる板同士を、第一支軸を第一及び第二筒部材に貫通することで回動可能に連結することが可能になる。
【００１０】
トイレ壁組立体の組立をさらに容易にするためには、後板を貯蔵槽に対して回転可能に連結する第四連結機構をさらに備えるものが好ましい。具体的には、第四連結機構が、後板に取り付けられる後板側筒部材と、後板側筒部材と軸芯を一致させて貯蔵槽の上面に取り付けられる槽側筒部材と、後板側筒部材と槽側筒部材とを貫通する第二連結支軸とからなるものが挙げられる。
【００１１】
トイレ壁組立体を組み立てた場合の固定を確実にするためには、貯蔵槽と左右側板との下端との間に、左右側板を貯蔵槽に固定させる固定構造を設けてなるものが好ましい。このような固定構造としては、貯蔵槽の上面に設けられる固定板部と、その固定板部に左右側板を固定する固定具とからなるものが挙げられる。固定具としては、ボルトとナットとを使用することができる。
【００１２】
以上の構成において、不使用時の嵩を小さくするためには、貯蔵槽が、その上面に便器体を嵌め込む取付凹部を備え、その凹部が不使用時の便器体に取り付けられた便器が通り抜ける貫通孔を備えてなるものが望ましい。
【００１３】
不使用時に周囲の景観と調和させるとともに、使用時に組み立てたトイレ壁組立体の一部とするためには、不使用時に便器体及び折り畳まれたトイレ壁組立体を覆う覆い部材を備えてなり、その覆い部材が、ベンチ形状をしてなり、使用時には組み立てられたトイレ壁組立体の上に載置されるものが好適である。
【００１４】
このような構成であれば、不使用時にあっては、トイレ壁組立体と便器体とが覆い部材で覆われているので、仮設トイレを意識することなくその周辺の空間あるいは土地を利用することが可能になる。それゆえ、土地などの利用効率を高くすることが可能になる。
【発明の効果】
【００１５】
本発明は、以上説明したような構成であり、不使用時にはトイレの形態をしていないが、貯留槽に便器体とトイレ壁組立体とが重ねられており、必要時に組み立てることにより迅速にトイレを構築することができる。また、貯蔵槽は少なくともその一部が埋設されているので、貯蔵槽の容量を大きくすることができ、災害時などの利用者が多い場合においても例えば、貯留槽が満杯になって使用不可能になるような事態を可能な限り抑えることができ、貯留槽内の貯留された汚物などを取り出す回数を大幅に減らすことができる。
【発明を実施するための最良の形態】
【００１６】
以下、本発明の一実施形態を、図１〜６を参照して説明する。
【００１７】
この実施形態の仮設トイレ１００は例えば、ＦＲＰ（繊維強化プラスチック）などの強化プラスチック製のもので、便器１の置かれる部屋を形成するトイレ壁組立体２と、便器１を取り付けてなる便器体３と、不使用時のカバーである覆い部材４と、液状物である汚物などを貯蔵する貯蔵槽５とからなる。仮設トイレ１００は、広域避難場所として指定される例えば比較的規模の大きな公園に設置されるものとする。このため、不使用時に貯蔵槽５の上を覆って、便器体３及び折り畳まれたトイレ壁組立体２を保管する空間を形成するための覆い部材４は、利用者が背合わせにて着座することができるベンチ（長い腰掛け）の形状に形成してある。すなわち覆い部材４は、幅方向の中央部分に、背もたれ４ａが形成してあり、その背もたれ４ａの幅方向の両側に座面４ｂが形成してある。背もたれ４ａ及び座面４ｂの形状は、特に限定されるものではなく、平坦なもの、あるいは体型に合わせて窪んだ曲面に形成してあるものなどであってよい。なお、覆い部材４の形状は、上述のものに限定されるものではなく、便器体３及び折り畳まれたトイレ壁組立体２を保管するのに十分な空間を確保できるものであればよい。
【００１８】
トイレ壁組立体２は、扉となる前板６と左右側板７，８と後板９とを備えてなり、不使用時は折り畳まれており使用時に角筒形状に形成されて、使用時に貯蔵槽５の上面５ａに設置した便器体３を取り囲んで外部からの視界を遮るものである。トイレ壁組立体２は、不使用時には折り畳まれた状態で便器体３とともに貯蔵槽５の上面５ａに置かれ、覆い部材４により覆われて外部からは目視できないようにして覆い部材４内に保管されるものである。なお、図示しないが、前板６には、扉として機能するように取っ手や錠などが設けられているものである。
【００１９】
トイレ壁組立体２は、不使用時に折り畳めるようにするために、前板６、左右側板７，８及び後板９が折り畳み方法に一致して動くように、以下に説明する各連結機構により回動可能に連結してある。
【００２０】
後板９は、平板の幅方向の両側に折り返し部９ａを有するものである。そして、後板９には、左側板７を不使用時に後板９の一方の面側すなわち前面側に重ね合わせられるように、左側の側部を構成する左の折り返し部９ａの内側に設けられる第一連結機構１０により左側板７が回動可能に連結してある。同様にして、右側板８を不使用時に後板９の他方の面側すなわち後面側に重ね合わせられるように、右側の側部を構成する右の折り返し部９ａの外側に設けられる第二連結機構１１により右側板８が回動可能に連結してある。この実施形態においては、後板９は、その長手方向の一方の端部すなわち下端において第四連結機構１２により貯蔵槽５に対して回動可能に連結してある。このように、後板９が断面コ字型をしていることで、トイレ壁組立体２を組み立てた状態で左右側板７，８との間に隙間が生じることをなくし、外部との遮断性を高くしている。
【００２１】
第一連結機構１０、第二連結機構１１及び第四連結機構１２はそれぞれ、基本的には一対の筒部材と一本の支軸とで構成される。対をなす筒部材は各板７，８，９及び貯留槽５に一体的に取り付けられるものである。
【００２２】
具体的には、第一連結機構１０は、後板９に取り付けられる第一筒部材である左筒部材１０ａと、左筒部材１０ａと軸芯を一致させて左筒部材１０ａより上側の位置において左側板７に取り付けられる第二筒部材である第一後筒部材１０ｂと、左筒部材１０ａと第一後筒部材１０ｂとを貫通する左連結支軸１０ｃとからなる。第二連結機構１１は、後板９に取り付けられる右筒部材１１ａと、右筒部材１１ａと軸芯を一致させて右筒部材１１ａより上側の位置において右側板８に取り付けられる第二後筒部材１１ｂと、右筒部材１１ａと第二後筒部材１１ｂとを貫通する右連結支軸１１ｃとからなる。
【００２３】
第四連結機構１２は、後板９に取り付けられる後板側筒部材１２ａと、後板側筒部材１２ａと軸芯を一致させて貯蔵槽５の上面５ａに取り付けられる槽側筒部材１２ｂと、後板側筒部材１２ａと槽側筒部材１２ｂとを貫通する連結支軸１２ｃとからなる。この実施形態の第四連結機構１２は、後板側筒部材１２ａを挟む位置に槽側筒部材１２ｂを設けている。
【００２４】
左側板７は、その前端部が右側板８の方向に折り曲げてあり、使用時にはその折り曲げ部分の外面に前板６が重なるように形成してある。同様に、右側板８についてもその前端部が折り曲げてあり、その折り曲げ部分に前板を連結することにより、前板６の回動範囲を大きくしているものである。
【００２５】
次に、前板６は、不使用時に右側板８の内側面に重ね合わせられるように、第三連結機構１３により右側板８に回動可能に連結してある。第三連結機構１３は、右側板８に取り付けられる右前筒部材１３ａと、前板６に右前筒部材８ａと軸芯を一致させて取り付けられる前筒部材１３ｂと、右前筒部材１３ａと前筒部材１３ｂとを貫通する前連結支軸１３ｃとからなる。このような筒部材１０ａ，１０ｂ，１１ａ，１１ｂ，１２ａ，１３ａ，１３ｂは、各板７，８，９，６及び貯留槽５の所定の部分にＦＲＰを円筒状にして形成するものであってもよい。
【００２６】
便器体３は、例えば  長方形をした平板３ａに便器１を取り付けてなるものである。便器１は、この実施形態においては、和式のものを使用するものである。便器１は、洋式のものであってもよい。
【００２７】
貯蔵槽５は、トイレ壁組立体２より長く、かつ組み立てられたトイレ壁組立体２の幅より大きな寸法の上面５ａを有してなり、その上面５ａを残してそれ以外の部分、言い換えれば上面５ａが地表又は基礎コンクリートから露出してそれ以外の部分が部分的に埋設されており、液状物を貯蔵し得るものである。液状物とは、水、汚物などである。そして例えば、この仮設トイレ１００が使用されるまでは、非常時のために貯留槽５に水を貯留し、使用するに際してはその貯留されていた水を取り出して飲料水などに利用し、その後に仮設トイレ１００として汚物を貯留するものである。この貯留槽５は、その一方の端側の上面に凹部５ｂが設けてあり、その凹部５ｂの底面５ｃに便器１に対応して、便器１が貯留槽５内部に向けて入れられるに十分な貫通孔５ｄが設けてあるとともに、その凹部５ｂの左右両側に固定構造を構成する固定板部１６が設けられている。貫通孔５ｄは、その最も長い部分の寸法が、平板３ａの最も長い部分の寸法より短く設定してある。
【００２８】
凹部５ｂは、図３に示すように、便器体３を嵌め込むもので、凹部５ｂに便器体３を嵌め込んだ際に便器体３の平板３ａ上面が貯留槽５の上面５ａとほぼ面一になる深さに形成するものである。貯留槽５の上面５ａの他方の端近傍には、貯留槽５の内部と連通する開口部（図示しない）が形成してあり、用事以外は蓋１５により開閉可能に閉じられている。なお、説明及び図示を省略するが、便器体３は、使用時にあってはボルト（スタッドを含む）、ナット（埋め込みナットを含む）などの止着具又は固定具により貯蔵槽５に固定されるものである。
【００２９】
固定板部１６は、後板９の幅とほぼ同じ間隔をあけて設けられるもので、トイレ壁組立体２を組み立てた際の左右側板７，８の位置に対応した位置に形成される固定板１６ａからなる。固定板１６ａは、固定構造における固定具を構成するボルト１７（図１に示す）が貫通する貫通孔１６ｂを例えば３個備えて、貯留槽５の上面５ａに二枚がほぼ平行で、かつほぼ垂直に形成してある。この固定板１６ａの貫通孔１６ｂに対応して、左右側板７，８にはボルト挿通孔１６ｃが形成してある。
【００３０】
このような構成において、不使用時は、図３の（ａ）に示すように、便器体３を逆さにして便器１を貯留槽５の内側に入れて凹部５ｂに嵌め込んでおき、前板６、左右側板７，８及び後板９を折り重ねあわせたトイレ壁組立体２を貯留槽５の上面５ａに置いて、さらに覆い部材４により外側からトイレ壁組立体２を覆い隠すものである（図４に示す）。覆い部材４は、その上面をベンチ形状に形成してあるので、不使用時にあってはベンチとして使用できるものである。したがって、公園などに設置した場合に、周囲の景観との間に違和感を生じることがない。なお、覆い部材４は、必要時には容易に移動させることができるが、それ以外の場合には移動できないように、貯留槽５に取り外し可能に取り付けられるようにしてあるものである。
【００３１】
覆い部材４で覆われるトイレ壁組立体２は、図４に示すように、次のように折り重ねて、貯留槽５に重ねられて、覆い部材４に覆われて保管されている。この説明において、内側面とは、トイレ壁組立体２を組み立てた状態で内側となる表面を指すもので、外側面とは、その内側面に背向する表面、つまりトイレ壁組立体２を組み立てた状態で外側となる表面を指すものである。トイレ壁組立体２は、第四連結機構１２により貯留槽５に回動可能に連結してある後板９を基準として左右側板７，８及び前板６を重ね合わせるものである。
【００３２】
まず、後板９の内側面と左側板７の内側面とを合わすようにして、後板９の内側面に左側板７を重ね合わせる。一方、右側板８は、後板９の外側面に重ね合わせるものである。すなわち、右側板８は、その外側面を後板９の外側面と合わせるものである。そして、前板６は、後板９に重ね合わされた右側板８の内側面に重ね合わされる。
【００３３】
次に、仮設トイレ１００を構築する場合は、覆い部材４を貯蔵槽５から離した後、トイレ壁組立体２を組み立て、その後に便器体３を使用状態にセットする。
【００３４】
トイレ壁組立体２の組立は、まず折り重ねてあるトイレ壁組立体２を、図５に示すように、その折り重ねられた状態のままでほぼ垂直になるまで起こす。後板９は、その下端において第四連結機構１２により貯留槽５に回動可能に連結してあるので、起こす作業は下端が移動することなく容易にできるものである。
【００３５】
この後、図６の（ａ）の状態から、後板９の内側面にある左側板７をほぼ９０度回動させて、固定板１６ａまで移動させる（図６の（ｂ））。固定板１６ａに左側板７の下端を仮止めすることで、後板９の下端と左側板７の下端とが貯蔵槽５に対して移動不能な状態となるため、人手で支えなくともトイレ壁組立体２は自立する状態になる。このようにして自立している状態において、右側板８を前板６とともに後板９の外面側からほぼ１８０度回動させて、後板９の側方に移動させる（図６の（ｃ））。そしてこの側方の位置において、右側板８の内面側に重ねられた前板６をほぼ９０度回動させて、右側板８から離す（図６の（ｄ））。次に、右側板８から前板６が開いた状態を維持したままで、右側板８を後板９の内側面方向に向かってほぼ９０度回動させる。右側板８を回動させることによって、右側板８は右側の固定板１６ａに到達する（図６の（ｅ））。この後、左側板７及び右側板８を、ボルトとナットとにより固定板１６ａに固定する。
【００３６】
以上の作業により、角筒形状に組み立てたトイレ壁組立体２を貯留槽５の上面にセットすると、トイレ壁組立体２で囲まれた貯留槽５の上面５ａには、便器体３を取り付ける凹部５ｂが位置しているので、便器体３をセットする。便器体３は、使用されるまでは便器１が貯留槽５の内部に格納される状態で凹部５ｂに嵌め込んである。したがって、便器１が使用できるように、凹部５ｂから一旦便器体３を取り出し、便器１を上にした状態で凹部５ｂに嵌め込む（図３の（ｂ）に示す）。最後に、トイレ壁組立体２の上端に、覆い部材４を固定して、覆い部材４をトイレ組立体２の屋根として機能させるものである。これによって、トイレ壁組立体２の内側に便器１を設置したトイレとなる。なお、覆い部材４のトイレ組立体２に対する固定は、ボルトとナットとでするものであってよい。
【００３７】
このように、トイレ壁組立体２を構成する前板６、左右側板７，８及び後板９は、回動可能にそれぞれ対応する連結機構１０，１１，１２，１３で回動可能に連結してあるので、これを組み立てる際に工具をほとんど必要とすることがないので、組立に精通していなくても組み立てることができる。しかも、後板９が、第四連結機構１２により貯留槽５に回動可能に連結してあるので、左右側板７，８を強固に固定しなくともトイレ壁組立体２は倒れることなく設置した状態を保持するものである。
【００３８】
したがって、トイレを使用できる状態にするまでの時間が短時間で済み、他所から広域避難場所などに搬入する場合に比べて迅速にトイレを準備することができる。しかも、貯留槽５を埋設型にすることにより、その貯留容量を従来の仮設トイレに比較して飛躍的に大きくすることができ、利用者数が非常に多い場合にも容易に対応することができる。
【００３９】
なお、上記実施形態においては、トイレ壁組立体２と便器体３と貯留槽５とが一つずつのものを説明したが、図に示すように、一つの貯留槽２０５に対して例えば二つのトイレ壁組立体２と二つの便器体（図示しない）とを備えるものであってもよい。この場合、同図のものは、トイレ壁組立体２の前板が向かい合うようにトイレ壁組立体２を配置するものであるが、後板同士を接近させて背合わせに配置するものであってもよい。この例の場合、言うまでもなく、貯留槽２０５は上記実施形態の貯留槽５の２倍以上の長さ、容量を有するもので、それ以外のトイレ壁組立体２及び便器体は上述の実施形態と同じ構成であってよい。
【００４０】
又、トイレ壁組立体の貯留槽に対する組み付けは例えば、貯留槽の上面に溝を設けておき、その溝に後板及び左右側板の下端部分を嵌め込み、溝と各板との係合によってトイレ壁組立体を組み立てて貯留槽に組み付けるものであってもよい。すなわち、貯留槽の上面とトイレ壁組立体との下端との間に係合構造を設けておき、貯留槽にトイレ壁組立体を係合させることによりトイレ壁を組み立てるものである。この場合にあっても、トイレ壁組立体の前板、左右側板及び後板は、上述のトイレ壁組立体と同じに、それぞれが回動可能に連結される構成とするものである。
【００４１】
加えて、それぞれの連結機構は、蝶番や二つの部材を回動可能に連結するものであれば、上述のものに限定されるものではなく、各種の構成のものを用いることができる。
【００４２】
さらには、トイレ壁組立体を構成する左右の側板は、トイレ壁組立体を組み立てた場合に内側となる方向に、その中央において二つ折りに折り重ねることができる構成のものであってもよい。すなわち、左右の側板は、等幅の二枚の平板からなり、それぞれの長手縁同士を蝶番により連結して、使用時に一枚の平板として機能するようにしたものである。この場合、トイレ壁組立体は、左右の側板を折り畳み、その折り畳んだ状態のそれぞれの側板を後板と前板とに挟んだ状態で、収納するものである。つまりこのような左右の側板は、特に限定されるものではなく、不使用時つまりトイレ壁組立体を組み立てていない場合に、内側に折り畳むことが可能で、かつ使用する場合には折り畳み不能なようにロックされて一枚の板として機能する構造を有するものであればよい。
【００４３】
同様に、左右の側板は、いわゆるアコーディオンドアのように、多数の折曲部分を備えて、多数に重ね合せることが可能な構成のものであってもよい。
【００４４】
その他、各部の具体的構成についても上記実施形態に限られるものではなく、本発明の趣旨を逸脱しない範囲で種々変形が可能である。
【図面の簡単な説明】
【００４５】
【図１】本発明の実施形態の使用状態における斜視図。
【図２】同実施形態の分解斜視図。
【図３】同実施形態の便器体の取付構造を要部を拡大して示す断面図。
【図４】同実施形態の不使用状態における斜視図。
【図５】同実施形態のトイレ壁組立体を組み立てる順序を示す側面図。
【図６】同実施形態のトイレ壁組立体を組み立てる順序を示す平面図。
【図７】本発明の変形例を示す図１相当図。
【符号の説明】
【００４６】
１…便器
２…トイレ壁組立体
３…便器体
４…覆い部材
５…貯留槽
【図１】
2007186921.tif 000003
【図２】
2007186921.tif 000004
【図３】
2007186921.tif 000005
【図４】
2007186921.tif 000006
【図５】
2007186921.tif 000007
【図６】
2007186921.tif 000008
【図７】
2007186921.tif 000009